(57)【要約】【課題】移動局が複数の基地局から、各基地局に固有のセル固有情報を含む信号を同時に受信する場合に、各基地局のセル固有情報を正しく検出する可能性を高めること。【解決手段】相関演算部５５は、復調部５４により得られたＳＳＣ信号と、各セルＩＤに対応するＳＳＣ符号との間で相関値演算を行ない、第１相関値を算出する。ピーク検索部５７は、各セルＩＤに対する第１相関値の中から最も相関値が大きいセルＩＤを検出する。レプリカ生成部５８は、ピーク検索部５７により検出されたセルＩＤに対応するＳＳＣレプリカを生成する。相関演算部５９は、ＳＳＣレプリカと、各セルＩＤに対応するＳＳＣ符号との間で相関値演算を行ない、各セルＩＤに対する相関値（第２相関値）を算出する。減算部５６は、第１相関値から第２相関値をセルＩＤ毎に減算し、第３相関値を生成する。【選択図】図３
2010200232.tif 000002
【特許請求の範囲】
【請求項１】
基地局のアンテナごとに予め対応付けられている複数のセル固有情報のいずれかを含む参照信号を周辺の基地局から受信し、当該参照信号から少なくとも２以上のセル固有情報を検出する移動局であって、
受信した第１参照信号と、前記複数のセル固有情報の各々との間で相関をとり、前記参照信号と各セル固有情報との間の第１相関値を算出する第１相関演算部と、
セル固有情報ごとの前記第１相関値の内、最も相関の高い値を示す第１セル固有情報を決定する第１決定部と、
前記第１参照信号のうち前記第１セル固有情報に対応する成分のレプリカと、前記複数のセル固有情報の各々との間で相関をとり、前記レプリカと各セル固有情報との間の第２相関値を算出する第２相関演算部と、
前記第１相関値から前記第２相関値を減算し、各セル固有情報に対する第３相関値を生成する減算部と、
セル固有情報ごとの前記第３相関値の内、最も相関の高い値を示す第２セル固有情報を決定する第２決定部と、
を備えた、移動局。
【請求項２】
前記参照信号は、複数のサブキャリアによって基地局から送信され、
前記セル固有情報は、所定の系列を巡回シフトした符号であって、符号の各ビット値が前記複数のサブキャリアの各々に割り当てられている、
請求項１に記載された移動局。
【請求項３】
前記複数のサブキャリアの各々について、サブキャリアのチャネル推定値の二乗値と、前記第１セル固有情報に対応する符号のうちサブキャリアに割り当てられているビット値、を乗算することにより、各サブキャリアについての乗算値を算出し、この乗算値を複数のサブキャリアのすべてについて積算することで、前記レプリカを生成する、
請求項２に記載された移動局。
【請求項４】
前記複数のサブキャリアの各々について、サブキャリアのチャネル推定値の二乗値を算出し、この二乗値を複数のサブキャリアのすべてについて積算することで得られる第１積算値と、前記第１セル固有情報に対応する符号と前記複数のセル固有情報の各々に対応する符号との間の符号間相関値、を乗算することで、前記第２相関値を算出する、
請求項２に記載された移動局。
【請求項５】
前記第１セル固有情報に対する前記第１相関値と、前記第１セル固有情報に対応する符号と前記複数のセル固有情報の各々に対応する符号との間の符号間相関値、を乗算することで、前記第２相関値を算出する、
請求項２に記載された移動局。
【請求項６】
基地局のアンテナごとに予め対応付けられている複数のセル固有情報のいずれかを含む参照信号を周辺の基地局から受信し、当該参照信号から少なくとも２以上のセル固有情報を検出するセルサーチ方法であって、
第１参照信号を受信するステップと、
前記第１参照信号と、前記複数のセル固有情報の各々との間で相関をとり、前記参照信号と各セル固有情報との間の第１相関値を算出するステップと、
セル固有情報ごとの前記第１相関値の内、最も相関の高い値を示す第１セル固有情報を決定するステップと、
前記第１参照信号のうち前記第１セル固有情報に対応する成分のレプリカと、前記複数のセル固有情報の各々との間で相関をとり、前記レプリカと各セル固有情報との間の第２相関値を算出するステップと、
前記第１相関値から前記第２相関値を減算し、各セル固有情報に対する第３相関値を生成するステップと、
セル固有情報ごとの前記第３相関値の内、最も相関の高い値を示す第２セル固有情報を決定するステップと、
を備えた、セルサーチ方法。
【請求項７】
前記参照信号は、複数のサブキャリアによって基地局から送信され、
前記セル固有情報は、所定の系列を巡回シフトした符号であって、符号の各ビット値が前記複数のサブキャリアの各々に割り当てられている、
請求項６に記載されたセルサーチ方法。
【請求項８】
前記第２相関値を算出するステップは、
前記複数のサブキャリアの各々について、サブキャリアのチャネル推定値の二乗値と、前記第１セル固有情報に対応する符号のうちサブキャリアに割り当てられているビット値、を乗算することにより、各サブキャリアについての乗算値を算出し、この乗算値を複数のサブキャリアのすべてについて積算することで、前記レプリカを生成する、
請求項７に記載されたセルサーチ方法。
【請求項９】
前記第２相関値を算出するステップは、
前記複数のサブキャリアの各々について、サブキャリアのチャネル推定値の二乗値を算出し、この二乗値を複数のサブキャリアのすべてについて積算することで得られる第１積算値と、前記第１セル固有情報に対応する符号と前記複数のセル固有情報の各々に対応する符号との間の符号間相関値、を乗算することで、前記第２相関値を算出する、
請求項７に記載されたセルサーチ方法。
【請求項１０】
前記第２相関値を算出するステップは、
前記第１セル固有情報に対する前記第１相関値と、前記第１セル固有情報に対応する符号と前記複数のセル固有情報の各々に対応する符号との間の符号間相関値、を乗算することで、前記第２相関値を算出する、
請求項９に記載されたセルサーチ方法。
【発明の詳細な説明】
【技術分野】
【０００１】
本発明は、無線通信の下りリンク信号に含まれる同期チャネルを利用して行われるセルサーチの技術に関する。
【背景技術】
【０００２】
移動体通信システムでは、移動局は、初期同期確立のために、又はハンドオーバのために、自機が接続しようとするセルを検出する必要があるが、この処理をセルサーチと呼んでいる。ここで検出対象となるセルは一般に、基地局の１又は複数のアンテナの各々に対応している。すなわち、基地局のアンテナ単位で（セクタ単位で）セルＩＤが割り当てられる。しかしながら、以下では、説明の便宜のために、基地局ごとにセルＩＤが割り当てられているものとして説明する。
【０００３】
次世代移動体通信規格であるＥ−ＵＴＲＡ(Evolved Universal Terrestrial Radio Access)では、下りリンクにマルチキャリアを用いたＯＦＤＭ(Orthogonal Frequency Division Multiplex)通信方式が採用され、下り無線フレームの所定のタイミングにおいて、同期信号としてのプライマリ同期チャネル信号（以下、ＰＳＣ(Primary Synchronization Channel)信号）とセカンダリ同期チャネル信号（以下、ＳＳＣ(Secondary Synchronization Channel)信号）が複数のサブキャリアに亘ってマッピングされる。上記セルサーチにおいて、ＰＳＣ信号はタイミング検出に用いられ、ＳＳＣ信号は、基地局に固有のセルＩＤの検出に用いられる。
【０００４】
Ｅ−ＵＴＲＡにおいて、各基地局から送信されるＳＳＣ信号は、Ｍ系列の巡回シフトによる基地局固有の符号（それぞれセルＩＤに対応する１６８種類の符号のいずれか）で生成される。移動局は、受信したＳＳＣ信号に含まれる符号を検出（特定）することにより、セルＩＤを検出する。より具体的には、移動局では、１６８種類のＭ系列の符号と、各符号に対応するセルＩＤは既知であり、各符号と受信したＳＳＣ信号との相関値の演算を行うことにより、相関値の高い複数のセルＩＤを検出する。検出したセルＩＤに対応する基地局がハンドオーバ先の候補となる。
Ｅ−ＵＴＲＡでは、Ｍ系列の符号長（３１ビット）よりも多い種類のセルＩＤ（１６８種類）を検出するために、３１ビット長のＭ系列の符号を２つ組合せて、６２ビットの符号長としている（理論的には、３１２種類のセルＩＤを検出可能）。
なお、Ｅ−ＵＴＲＡについての仕様は、非特許文献１〜４に開示されている。
【０００５】
ここで、Ｍ系列の巡回シフトによる３１ビットの符号において、
ｕ（ａ，ｋ）：系列番号ａの符号のｋ番目のビットの値、
ｕ（ｂ，ｋ）：系列番号ｂの符号のｋ番目のビットの値、
とすると、ｕ（ａ，ｋ）とｕ（ｂ，ｋ）の間の符号間相関値Ｃ（ａ，ｂ）は、以下の数式１で表される。
【数１】
2010200232.tif 000003
但し、上記式では、各ビットの値＝｛１，−１｝として演算される。このとき、Ｃ（ａ，ａ）＝３１であり、Ｃ（ａ，ｂ）＝−１（但し、ａ≠ｂ）である。
【先行技術文献】
【非特許文献】
【０００６】
【非特許文献１】3GPP TS 36.211 V8.5.0(2008-12) :3rd Generation Partnership Project; Technical Specification Group Radio Access Network; "Evolved Universal Terrestrial Radio Access (E-UTRA); Physical Channels and Modulation" (Release 8) （特に、4.1 Frame structure type 1, 6.11 Synchronization signals）
【非特許文献２】3GPP TS 36.213 V8.5.0(2008-12) :3rd Generation Partnership Project; Technical Specification Group Radio Access Network; "Evolved Universal Terrestrial Radio Access (E-UTRA); Physical layer procedures" (Release 8) (特に、4.1 Cell search)
【非特許文献３】3GPP TS 36.133 V8.4.0(2008-12) :3rd Generation Partnership Project; Technical Specification Group Radio Access Network; "Evolved Universal Terrestrial Radio Access (E-UTRA); Requirements for support of radio resource management" (Release 8) （特に、4.1 Cell Selection, 4.2 Cell Re-selection）
【非特許文献４】3GPP TS 36.304 V8.4.0(2008-12) :3rd Generation Partnership Project; Technical Specification Group Radio Access Network; "Evolved Universal Terrestrial Radio Access (E-UTRA); User Equipment (UE) procedures in idle mode" (Release 8) （特に、5.2 Cell selection and reselection）
【発明の概要】
【発明が解決しようとする課題】
【０００７】
ところで、Ｅ−ＵＴＲＡでは、受信品質向上等の観点からセル間同期(Inter-cell synchronization)のシステムについても検討されている。セル間同期システムでは、移動局が受信する、周辺の各基地局からの無線フレーム（以下、単に「フレーム」という。）の同期がとられる。この場合、移動局が各基地局からの同期信号（ＰＳＣ信号及びＳＳＣ信号）を受信するタイミングは、各基地局と移動局間の伝播遅延に応じて僅かに相違するものの、ほぼ同一のタイミングである。よって、移動局は、周辺の複数の基地局からのＳＳＣ信号が重畳した状態でのＳＳＣ受信信号に基づいてセルＩＤを検出することになる。移動局では、このＳＳＣ受信信号と、各セルＩＤに対応した既知の符号と間の相関をとることに起因して、セルＩＤを誤検出することがある。
【０００８】
この誤検出の発生に関し、マルチキャリアであるＯＦＤＭ無線通信方式において、移動局が、例えば周辺の２局の基地局（ＢＳ１，ＢＳ２）からのＳＳＣ受信信号と、各セルＩＤに対応した既知の符号との相関をとる場合を例にとって、以下で説明する。
先ず、
ｍ：セルＩＤ（ｍ１，ｍ２：それぞれ基地局ＢＳ１，ＢＳ２のセルＩＤ）
ｋ：ＯＦＤＭ変調におけるサブキャリア位置
Ｒｉｎ（ｋ）：ＳＳＣ受信信号
Ｒｄ（ｋ）：復調後のＳＳＣ受信信号
Ｃ（ｍ）：セルＩＤ＝ｍに対する相関値
とすると、Ｒｉｎ（ｋ）、Ｒｄ（ｋ）及びＣ（ｍ）はそれぞれ、以下の数式で表現される。
【０００９】
【数２】
2010200232.tif 000004
【数３】
2010200232.tif 000005
【数４】
2010200232.tif 000006
【００１０】
但し、上記の各数式において、
Ｈ１（ｋ），Ｈ２（ｋ）：ｋ番目のサブキャリアにおける基地局ＢＳ１，ＢＳ２から移動局へのチャネル（伝播路を複素数でモデル化したもの）、
Ｎ（ｋ）：ｋ番目のサブキャリアにおける雑音成分、
Ｐ（ｍ，ｋ）： セルＩＤ＝ｍに対応する符号のｋ番目のサブキャリアに対応するビット値（但し、Ｐ（ｍ，ｋ）＝｛１，−１｝）、
Ｇ（ｋ）：複素数で表されるチャネル推定値（アッパーライン付きのＧ（ｋ）は、Ｇ（ｋ）の共役複素数である。）、
である。
【００１１】
上記数式４に示すように、各基地局と移動局間の伝播路の影響を考慮した相関値演算では、数式１に示した理想的な相関演算とはならず、各基地局からのＳＳＣ信号の受信信号レベルに影響を受けることが理解される。
ここで、例えば、移動局が基地局ＢＳ１と通信中であるときに、基地局ＢＳ１に隣接する基地局ＢＳ２のセルＩＤを検出しようとする場合（周辺セルサーチ）を想定する。この場合、一般的に考えられる状況としては、移動局において、基地局ＢＳ１からの受信信号レベルが基地局ＢＳ２からのレベルよりも大きく、かつＳＳＣ受信信号と、各セルに対応する既知の符号との間で相関をとったときに基地局ＢＳ１のセルＩＤが第１に検出される（すなわち、基地局ＢＳ１のセルＩＤの相関値Ｃ（ｍ１）が最も大きい）という状況である。
【００１２】
このとき、移動局は、ハンドオーバ候補として、基地局ＢＳ１のセルＩＤの次に相関値が大きいセルＩＤを検出したいが、基地局ＢＳ１から移動局へ到来するＳＳＣ信号の信号レベル次第では、基地局ＢＳ１のセルＩＤの次に相関値が大きいセルＩＤとして、基地局ＢＳ２のセルＩＤを検出できない場合が生ずる。
【００１３】
基地局ＢＳ２のセルＩＤを検出できない場合が生ずる理由について、以下説明する。
上記数式４に示すように、相関値の式のΣの中には、基地局ＢＳ１からのＳＳＣ信号に基づく成分（G(k)H1(k)P(m1,k)P(m,k)）が含まれるため、ＳＳＣ受信信号と、各セルに対応する既知の符号との間で相関をとったときには、基地局ＢＳ２のセルＩＤに対する相関値は、基地局ＢＳ１から移動局へ到来するＳＳＣ信号の信号レベルに影響を受ける。例えば、基地局ＢＳ２から移動局へ到来するＳＳＣ信号の信号レベルが小さい場合には、そのＳＳＣ信号に基づく数式４上の成分（G(k)H2(k)P(m２,k)P(m,k)）も小さくなるため、算出される相関値が小さくなる場合がある。この場合、数式４によって算出される相関値が理想的な相関値と乖離し、基地局ＢＳ２のセルＩＤを検出することができない。
【００１４】
また、基地局ＢＳ１から移動局へ到来するＳＳＣ信号の信号レベルが大きい場合には、基地局ＢＳ２のセルＩＤに対応する符号と、基地局ＢＳ１のセルＩＤに対応する符号との相関値の大きさ及び符号（正負）が、基地局ＢＳ２のセルＩＤの相関値に大きな影響を与える。そのため、基地局ＢＳ１からのＳＳＣ信号の信号レベルによっては、基地局ＢＳ２のセルＩＤにおける全体の相関値が大きく変動しうることになる。
例えば、基地局ＢＳ２のセルＩＤに対応する符号と、基地局ＢＳ１のセルＩＤに対応する符号との相関値が負の値であって、かつその絶対値が大きい場合には、基地局ＢＳ２のセルＩＤにおける全体の相関値を大きく低下させることになる。この場合、数式４によって算出される相関値が理想的な相関値と乖離し、基地局ＢＳ２のセルＩＤを検出することができない。
また、基地局ＢＳ２のセルＩＤに対応する符号と、基地局ＢＳ１のセルＩＤに対応する符号との相関値が正の値であって、かつその絶対値が大きい場合には、基地局ＢＳ２のセルＩＤにおける全体の相関値を大きく増加させることになる。この場合、数式４によって算出される相関値が理想的な相関値と乖離し、本来検出されるべきでない場合まで基地局ＢＳ２のセルＩＤが誤って検出されてしまうことになる。
【００１５】
上述した観点に鑑み、移動局が複数の基地局から、各基地局に固有のセル固有情報を含む信号を同時に受信する場合に、各基地局のセル固有情報を正しく検出する可能性を高めた移動局、セルサーチ方法を提供することが課題である。
【課題を解決するための手段】
【００１６】
基地局のアンテナごとに予め対応付けられている複数のセル固有情報のいずれかを含む参照信号を周辺の基地局から受信し、当該参照信号から少なくとも２以上のセル固有情報を検出する移動局が提供される。
この移動局は、
（Ａ）受信した第１参照信号と、前記複数のセル固有情報の各々との間で相関をとり、前記参照信号と各セル固有情報との間の第１相関値を算出する第１相関演算部と、
（Ｂ）セル固有情報ごとの前記第１相関値の内、最も相関の高い値を示す第１セル固有情報を決定する第１決定部と、
（Ｃ）前記第１参照信号のうち前記第１セル固有情報に対応する成分のレプリカと、前記複数のセル固有情報の各々との間で相関をとり、前記レプリカと各セル固有情報との間の第２相関値を算出する第２相関演算部と、
（Ｄ）前記第１相関値から前記第２相関値を減算し、各セル固有情報に対する第３相関値を生成する減算部と、
（Ｅ）セル固有情報ごとの前記第３相関値の内、最も相関の高い値を示す第２セル固有情報を決定する第２決定部と、
を備える。
また、この移動局と同様の処理を行うセルサーチ方法が提供される。
【発明の効果】
【００１７】
移動局が複数の基地局から、各基地局の固有のセル固有情報を含む信号を同時に受信する場合に、各基地局のセル固有情報を正しく検出する可能性を高めることが可能である。
【図面の簡単な説明】
【００１８】
【図１】実施形態に係る移動局が含まれる無線通信システムの一例を示す図。
【図２】各基地局から実施形態に係る移動局が受信するフレームの構成の一例を示す図。
【図３】実施形態に係る移動局の構成の要部を示すブロック図。
【図４】実施形態に係る移動局において、相関演算部の出力（第１相関値）の一例を示す図。
【図５】実施形態に係る移動局において、１回目のループにおける相関演算部の出力（第２相関値）の一例を示す図。
【図６】実施形態に係る移動局において、１回目のループ後の減算部の出力（第３相関値）の一例を示す図。
【図７】実施形態に係る移動局において、２回目のループにおける相関演算部の出力（第２相関値）の一例を示す図。
【図８】実施形態に係る移動局において、２回目のループ後の減算部の出力（第３相関値）の一例を示す図。
【発明を実施するための形態】
【００１９】
以下、実施形態に係る移動局が含まれる無線通信システムについて説明する。
【００２０】
（１）無線通信システムの構成
図１は、実施形態に係る移動局（ＵＥ：User Equipment）が含まれる無線通信システムの一例を示す図である。図１に示す無線通信システムには、移動局１０と、その移動局１０の周辺に位置する基地局（eNodeB）２０−１〜２０−３とが含まれる。図１に示す無線通信システムはセル間同期がなされており、移動局１０は、自局の周辺の基地局２０−１〜２０−３からの下り無線フレーム（以下、単に「フレーム」という。）をほぼ同一のタイミングで受信する。
【００２１】
なお、セル固有情報としてのセルＩＤは一般にセクタ単位（すなわち、基地局のアンテナ単位）で割り当てられるが、この実施形態では、説明の便宜上、基地局単位でセルＩＤが割り当てられているとする。このように設定しても一般性を失わないのは当然である。
【００２２】
この無線通信システムにおいて、移動局１０は、基地局２０−１と通信中であるが、ハンドオーバに備え、各基地局からのフレームに含まれる同期信号（参照信号）に基づき、フレームの同期をとるとともに、ハンドオーバ候補として基地局２０−１以外の基地局（２０−２，２０−３）のセルＩＤを検出する処理（周辺セルサーチ）を行う。
【００２３】
図２は、基地局２０＿１〜２０＿３の各々から移動局１０が受信するフレームの構成の一例を示す図である。図２に示す例は、Ｅ−ＵＴＲＡで仕様化されているフレームの構成である。図２に示すフレームでは、１０ｍｓのフレームの中に１０個のサブフレーム（図示しない）を含んで構成される。そして、１番目のサブフレームと５番目のサブフレームには、同期信号として、プライマリ同期チャネル（以下、ＰＳＣ：Primary Synchronization Channel)信号とセカンダリ同期チャネル（以下、ＳＳＣ：Secondary Synchronization Channel)信号が複数のサブキャリアにマッピングされている。すなわち、ＰＳＣ信号及びＳＳＣ信号は、フレーム内に５ｍｓ周期で挿入されている。
【００２４】
ＳＳＣ信号としては、自己相関特性に優れる系列として、例えばＭ系列が用いられる。各基地局のセルＩＤに対応するＳＳＣ信号は、Ｍ系列の巡回シフトによる符号で生成されている。この符号は、３１ビット長のＭ系列の符号を２組組み合わせた６２ビット長である。６２ビットのＳＳＣ信号は１ビットずつＢＰＳＫ変調された後、６２個のサブキャリアにマッピングされて送信される。
この無線通信システムにおいて、ＳＳＣ信号の符号は、各セルＩＤに対応して１６８種類設けられている。以下では、ＰＳＣ信号が示す符号（後述する「ＰＳＣ符号」）と区別して、ＳＳＣ信号が示す符号を「ＳＳＣ符号」という。移動局１０において１６８種類のＳＳＣ符号は既知である。
【００２５】
一方、ＰＳＣ信号としては、例えばＣＡＺＡＣ(Constant Amplitude Zero Auto-Correlation)系列の１つであるZadoff-Chu系列（６３ビット長）が適用される。６３ビットのZadoff-Chu系列信号のうち、中央を除いた６２ビットがＰＳＣ信号として使用される。この６２ビットのＰＳＣ信号は、６２個のサブキャリアにマッピングされて送信される。
この実施形態において、ＰＳＣ信号は、Zadoff-Chu系列に基づき３種類の符号が用いられる。以下では、前述のＳＳＣ符号と区別して、ＰＳＣ信号が示す符号を「ＰＳＣ符号」という。移動局１０において、３種類のＰＳＣ符号は既知である。
【００２６】
この無線通信システムでは、例えば５０４個のセルＩＤが用意される。移動局１０では、セルサーチにおいて、先ず第１に、受信フレーム内のＰＳＣ信号に基づいてタイミングを検出し、さらに、ＳＳＣ受信信号と１６８種類の既知のＳＳＣ符号の各々との間の相関をとり、相関値の高いＳＳＣ符号に対応するセルＩＤを複数個検出する。
【００２７】
前述したように、この無線通信システムでは、移動局１０の周辺の基地局２０―１〜２０−３からのフレームの同期がとれている場合を想定する。この場合、移動局１０が各基地局２０―１〜２０−３からの同期信号（ＰＳＣ信号及びＳＳＣ信号）を受信するタイミングは、各基地局との伝播遅延に応じて僅かに相違するものの、ほぼ同一のタイミングである。すなわち、本実施形態の無線通信システムでは、周辺の各基地局からのフレームがほぼ同時に移動局１０に到来する。よって、移動局１０では、複数の基地局からのＳＳＣ信号が重畳した状態のＳＳＣ受信信号から、セルＩＤを検出することになる。
【００２８】
（２）本実施形態で適用されるセルサーチ方法の原理
以下、本実施形態の移動局１０で適用されるセルサーチ方法、特に復調されたＳＳＣ信号からセルＩＤを検出する方法の原理について、数式を用いて説明する。
【００２９】
先ず、
ｍ：セルＩＤ（ｍ１，ｍ２：それぞれ基地局２０−１，２０−２のセルＩＤ）、
ｋ：ＯＦＤＭ変調におけるサブキャリア位置、
Ｃ（ｍ）：セルＩＤ＝ｍに対する相関値、
とすると、Ｃ（ｍ）は、上記数式４を展開することで、以下の数式５により表現される。
【００３０】
【数５】
2010200232.tif 000007
【００３１】
但し、上記数式５において、
Ｈ１（ｋ），Ｈ２（ｋ）：基地局２０−１，２０−２から移動局へのチャネル（伝播路を複素数でモデル化したもの）
Ｎ（ｋ）：雑音成分、
Ｐ（ｍ，ｋ）： セルＩＤ＝ｍに対応する符号のｋ番目のサブキャリアに対応するビット値（但し、Ｐ（ｍ，ｋ）＝｛１，−１｝）、
Ｇ（ｋ）：複素数で表されるチャネル推定値（アッパーライン付きのＧ（ｋ）は、Ｇ（ｋ）の共役複素数である。）、
である。
【００３２】
上記数式５は、移動局の周辺に基地局２０−１，２０−２の２局のみが存在すると仮定した場合の数式である。この数式５を一般化すれば、各セルＩＤに対する相関値は、個々の基地局のみからＳＳＣ信号を受信したと仮定した場合に算出される相関値を、すべての基地局に対して足し合わせたものとなる、ということが理解される。したがって、相関値が最も大きいセルＩＤが既に検出されており、２番目に相関値が大きいセルＩＤを正しく検出しようとする場合、本実施形態のセルサーチ方法では、以下の処理を行う。すなわち、相関値が最も大きいセルＩＤに対応するＳＳＣ信号のみを受信したと仮定した場合に算出される相関値を、ＳＳＣ受信信号に基づいて算出される相関値から減算する。これにより、ＳＳＣ受信信号に基づいて算出される相関値に対し、相関値が最も大きいセルＩＤに対応するＳＳＣ信号が与える影響を除外できるため、２番目に相関値が大きいセルＩＤを正しく検出することができるようになる。
同様にして、３番目以降に相関値が大きいセルＩＤを順に検出していく。
【００３３】
このような相関値に関する処理は、最も受信信号レベルが大きい基地局と通信中の移動局が、その基地局よりも受信信号レベルがずっと小さい他の基地局のセルＩＤを探索するときに、特に有効である。例えば、図１において、移動局１０が基地局２０−１と通信中であるときに、基地局２０−１に隣接する基地局として基地局２０−２のセルＩＤを探索しようとする場合を想定する。この場合、移動局１０において、基地局２０−１からの受信信号レベルが基地局２０−２からのレベルよりもずっと大きいという状況である。このとき、移動局１０は、ＳＳＣ受信信号に基づく各セルＩＤに対する相関値（上記数式５）を算出することで基地局２０−１のセルＩＤを検出し、その後に、基地局２０−１のみからＳＳＣ信号を受信したと仮定した場合に算出される相関値を減算する。これにより、基地局２０−１からの受信信号レベル、及び／又は、基地局２０−１と基地局２０−２の間のＳＳＣ符号の相関値、による影響を除外できる。
【００３４】
ここで、上述した原理に基づいて周辺セルサーチを行う場合、ある特定の基地局のみからＳＳＣ信号を受信したと仮定した場合の相関値を算出する必要がある。そのため、実施形態の移動局では、特定の基地局のみからのＳＳＣ信号を、ＳＳＣレプリカとして生成する。
【００３５】
（３）本実施形態で適用されるセルサーチ方法
次に、移動局１０で適用されるセルサーチ方法をステップ毎に説明する。
【００３６】
（第１ステップ）
この方法の第１ステップでは、ＳＳＣ受信信号と、各セルＩＤに対応するＳＳＣ符号との間で相関値演算が行われ、これにより、各セルＩＤに対する相関値（以下、第１相関値）が算出され、最も相関値が大きいセルＩＤ（第１セル固有情報）が検出される。この検出されたセルＩＤは例えば、移動局１０と通信中の基地局２０−１のセルＩＤであると想定する。
【００３７】
（第２ステップ）
次に、この方法の第２ステップでは、移動局１０が、基地局２０−１のセルＩＤの次に相関値が大きいセルＩＤを検出するに当たって、既にセルＩＤが検出された基地局２０−１からの受信信号レベルによる影響を除去するために、基地局２０−１からのＳＳＣ信号のレプリカ（ＳＳＣレプリカ）が生成される。そして、この基地局２０−１のＳＳＣレプリカと、各セルＩＤに対応するＳＳＣ符号との間で相関値演算を行うことで、各セルＩＤに対する相関値（以下、第２相関値）が算出される。
【００３８】
なお、基地局２０−１のＳＳＣレプリカは、上記数式５において、以下の数式６に対応する。すなわち、基地局２０−１のＳＳＣレプリカは、基地局２０−１と移動局間の伝播路の影響がない理想的な場合には、P(m1,k)であるが、伝播路の影響を考慮すると、数式６のとおりに表される。
【数６】
2010200232.tif 000008
【００３９】
また、このＳＳＣレプリカに基づいて算出される第２相関値をＩ（ｍ）（ｍ：セルＩＤ）とすると、Ｉ（ｍ）は以下の数式７で表される。このＩ（ｍ）は、数式５に示したＣ（ｍ）の第１項と同一である。
【数７】
2010200232.tif 000009
【００４０】
（第３ステップ）
次に、この方法の第３ステップでは、セルＩＤごとに第１相関値から第２相関値が減算される。この減算により得られる第３相関値は、既に検出された基地局２０−１からの受信信号レベル、及び／又は、基地局２０−１と他の基地局との間のＳＳＣ符号間の相関値による影響が除外されたものとなっている。なお、この減算は、上記数式５のＣ（ｍ）から第１項を消去することと等価である。
【００４１】
（第４ステップ）
最後に、この方法の第４ステップでは、各セルＩＤに対する第３相関値の中で、最も相関値の大きいセルＩＤ（第２セル固有情報）が検出される。
【００４２】
図１の無線通信システムにおいて、上記第４ステップにより検出されたセルＩＤが基地局２０−２に対応するものであるとすると、上記ステップを繰り返すことで、その他の基地局２０−３のセルＩＤも同様に検出される。すなわち、このセルサーチ方法では、検出済みのセルＩＤに対する基地局に対応するＳＳＣレプリカを順次生成し、そのＳＳＣレプリカに基づいて相関値（第２相関値）を算出し、この相関値がそれ以前に算出済みの相関値（第１相関値）から減算されることで、新たなセルＩＤが順次検出されていくことになる。
【００４３】
なお、ＳＳＣレプリカを生成するときには、上記数式６を以下数式８に示すように近似できる。この近似は、基地局２０−１から移動局へのチャネルが支配的であるという推定に基づいている（すなわち、|H1|>|H2|である場合にH1(k)=G(k)とする。）。
【数８】
2010200232.tif 000010
【００４４】
このとき、数式７に示すＩ（ｍ）は、以下のとおり近似できる。
【数９】
2010200232.tif 000011
【００４５】
（４）実施形態に係る移動局の構成
以下、移動局１０の構成の要部について図３を参照して説明する。図３は、移動局１０の構成の要部を示すブロック図である。
図３に示すように、実施形態に係る移動局１０は、フィルタ５０、タイミング検出部５１、ＦＦＴ部５２、チャネル推定部５３、復調部５４、相関演算部５５（第１相関演算部）、減算部５６、ピーク検索部５７（第１決定部、第２決定部）、レプリカ生成部５８、相関演算部５９（第２相関演算部）を備える。
【００４６】
タイミング検出部５１は、フィルタ５０より所望の帯域に制限されたＯＦＤＭ受信信号に基づいて、ＰＳＣ信号が挿入されているタイミングを検出する。すなわち、移動局１０では、３種類のＰＳＣ符号が既知であるので、タイミング検出部５１は、少しずつタイミングをずらしながら３種類のＰＳＣ符号に基づくＰＳＣ信号のレプリカ（以下、ＰＳＣレプリカ）と受信信号との相関値を算出する。相関値のピークを探索することで、受信フレームに使用されているＰＳＣ符号が３種類のいずれであるか検出されるとともに、ＰＳＣ信号が挿入されているタイミングが検出される。
【００４７】
ＦＦＴ部５２は、タイミング検出部５１から与えられるＦＦＴタイミングに基づいて、帯域制限されたＯＦＤＭ受信信号に対して、ＦＦＴ(Fast Fourier Transform)を実行する。これにより、ＯＦＤＭ受信信号内のＰＳＣ信号及びＳＳＣ信号が、周波数領域の信号に変換される。そして、ＦＦＴ部５２により分離されたＰＳＣ信号は、チャネル推定部５３及び復調部５４に与えられる。
【００４８】
チャネル推定部５３は、ＦＦＴ部５２から与えられるＰＳＣ信号と、タイミング検出部５１で検出されたＰＳＣ符号に対応するＰＳＣレプリカ（既知）とに基づいて、ＰＳＣ信号がマッピングされたサブキャリア毎のチャネル推定を行なう。ここで、フレーム内において、ＳＳＣ信号とＰＳＣ信号は時間軸上で隣接しているため、ＳＳＣ信号に対するチャネル推定値は、ＰＳＣ信号のそれとほぼ同じと考えることができる。よって、復調部５４は、チャネル推定部５３から与えられるＰＳＣ信号のチャネル推定値を用いて、ＳＳＣ信号を復調する。
【００４９】
ここで、前述したように、本実施形態の無線通信システムでは、基地局２０―１〜２０−３からのフレームの同期がとれているため、復調部５４から出力されるＳＳＣ受信信号は、各基地局からのＳＳＣ信号が重畳されている。相関演算部５５以降の各部では、このＳＳＣ受信信号に基づき、上記セルサーチ方法に従ってセルＩＤを検出していく。
【００５０】
相関演算部５５は、復調部５４により得られたＳＳＣ受信信号と、各セルＩＤに対応するＳＳＣ符号との間で相関値演算を行ない、これにより、各セルＩＤに対する相関値（第１相関値）を算出する。この相関値演算は、上記数式４（又は数式５の最上段の式）による演算に等しい。この演算は以下のようにして行う。すなわち、先ず、ｍ＝１のセルＩＤに対して、各サブキャリアの信号の値と、各サブキャリアに対応するｍ＝１の符号の各ビット（＝｛１，−１｝；既知）とをそれぞれ乗算し、すべてのサブキャリアの乗算結果を足し合わせる処理を行う。これにより、ｍ＝１のセルＩＤに対応する相関値が算出される。同様にして、ｍ＝２以降のセルＩＤに対しても、上記処理を行う。その結果、各セルＩＤに対応する（セルＩＤ毎の）相関値（第１相関値）が得られる。
【００５１】
減算部５６は、相関演算部５５から得られる第１相関値から、相関演算部５９から得られる相関値（第２相関値）をセルＩＤ毎に減算し、各セルＩＤに対する第３相関値を生成してピーク検索部５７へ出力する。なお、ＳＳＣレプリカが生成されておらず未だ第２相関値が相関演算部５９から出力されていない段階では、各セルＩＤに対する第１相関値がそのまま、ピーク検索部５７へ出力される。
ピーク検索部５７は、各セルＩＤに対する第１相関値又は第３相関値の中から最も相関値が大きいセルＩＤを検出する。
【００５２】
レプリカ生成部５８は、ピーク検索部５７により検出されたセルＩＤに対応するＳＳＣレプリカを生成する。このＳＳＣレプリカ生成処理は、上記数式８による演算の実行に等しい。すなわち、チャネル推定部５３で得られた各サブキャリアのチャネル推定値の二乗値と、ピーク検索部５７により検出されたセルＩＤに対応するＳＳＣ符号の、各サブキャリアに対応する各ビット（＝｛１，−１｝；既知）、が乗算される。
【００５３】
相関演算部５９は、レプリカ生成部５８により生成されたＳＳＣレプリカと、各セルＩＤに対応するＳＳＣ符号との間で相関値演算を行ない、これにより、各セルＩＤに対する相関値（第２相関値）を算出する。この相関値演算は、上記数式４（又は数式５の上段の式）による演算に等しい。演算処理自体は、相関演算部５５の処理と同じである。
【００５４】
この移動局１０では、複数のセルＩＤを検出するに当たって、ピーク検索部５７、レプリカ生成部５８、相関演算部５９、減算部５６の処理が、順に繰り返される（ループ処理される）。
【００５５】
（４）実施形態に係る移動局の動作例
実施形態の移動局１０の動作について、特に相関演算部５５の出力後における動作例に注目し、図４〜８を参照して説明する。
図４は、相関演算部５５の出力（第１相関値）の一例を示す図である。図５は、１回目のループにおける相関演算部５９の出力（第２相関値）の一例を示す図である。図６は、１回目のループ後の減算部５６の出力（第３相関値）の一例を示す図である。図７は、２回目のループにおける相関演算部５９の出力（第２相関値）の一例を示す図である。図８は、２回目のループ後の減算部５６の出力（第３相関値）の一例を示す図である。
【００５６】
図４に示す相関演算部５５の出力結果例において、相関値のピークｐ１〜ｐ３が順に検出すべきピークであると想定する。すなわち、仮に伝播路の影響がない理想的な相関値演算を行ったならば、相関値のピークｐ１〜ｐ３が順に検出される場合を想定する。
この図４に示す相関値（第１相関値）は、複数の基地局からのＳＳＣ信号が重畳したＳＳＣ受信信号に基づいて算出されているため、検出対象のセルＩＤに対応するＳＳＣ信号の信号レベルが低い場合や、相関値が最大となるピークｐ１のセルＩＤとの間の符号間相関値によっては、図４に基づく相関値の大きさの順序と、理想的な相関値の大きさの順序とが乖離することがある。例えば、図４では、相関演算部５５により算出された相関値がピークｐ４＞ピークｐ３となっているため、この相関値の結果が示すピーク値の順序をもって検出したとすれば、誤ってピークｐ４のセルＩＤをピークｐ３のセルＩＤよりも先に検出してしまうことになる。
【００５７】
図４の結果に基づき、１回目のループにおけるピーク検索部５７は、ピークｐ１のセルＩＤを検出する。レプリカ生成部５８は、ピークｐ１のセルＩＤに対応するＳＳＣレプリカを生成する。相関演算部５９により、そのＳＳＣレプリカと、各セルＩＤに対応するＳＳＣ符号との間の相関値演算を行った結果（第２相関値）が図５である。図５は、仮に、ピークｐ１のセルＩＤに対応するＳＳＣ信号のみを受信したと仮定した場合における相関値を示しており、当然ながら図４でピークｐ１を示したセルＩＤで相関値が最大となる。
【００５８】
図６に示す第３相関値は、図４に示す第１相関値から図５に示す第２相関値を減算した、セルＩＤごとの相関値（第３相関値）である。図６では、図４と比較すると、ピークｐ１が消失するとともに、すべてのセルＩＤに亘って相関値の変動が小さくなっている。図６では特に、図４に見られたピークｐ４がほとんど目立たなくなっている。
【００５９】
図６の結果に基づき、１回目のループ後のピーク検索部５７は、ピークｐ２のセルＩＤを検出する。１回目のループ後のレプリカ生成部５８は、ピークｐ２のセルＩＤに対応するＳＳＣレプリカを生成する。１回目のループ後の相関演算部５９により、そのＳＳＣレプリカと、各セルＩＤに対応するＳＳＣ符号との間の相関値演算を行った結果（第２相関値）が図７である。図７は、仮に、ピークｐ２のセルＩＤに対応するＳＳＣ信号のみを受信したと仮定した場合における相関値を示しており、当然ながら図６でピークｐ２を示したセルＩＤで相関値が最大となる。
【００６０】
図８に示す第３相関値は、図６に示す第１相関値から図７に示す第２相関値を減算した、セルＩＤごとの相関値（第３相関値）である。図８では、図６と比較すると、ピークｐ２が消失するとともに、すべてのセルＩＤに亘って相関値の変動がさらに小さくなっている。そして、図８の結果に基づき、２回目のループ後のピーク検索部５７は、ピークｐ３のセルＩＤを検出する。
【００６１】
以上説明したように、本実施形態の移動局又はセルサーチ方法によれば、セルＩＤを検出する度に、その検出済みのセルＩＤに対応するＳＳＣレプリカが生成され、そのＳＳＣレプリカに基づく相関値成分が、受信したＳＳＣ信号に基づく相関値から減算されていく。よって、検出済みのセルＩＤがその後のセルＩＤの検出に与える影響を無くすることができる。
したがって、検出済みのセルＩＤとの間の符号間相関値が大きいセルＩＤが誤って検出されてしまうことが少なくなり、誤検出の可能性を低減することができる。また、この誤検出は、検出済みのセルＩＤのＳＳＣ信号の信号レベルが大きい場合に顕著であるが、その信号レベルの影響を無くすることができるので、検出済みのセルＩＤ以外のセルＩＤを検出可能な、ＳＳＣ信号の最低信号レベルを低下させる。例えば図４、図６、図８に示した例では、順に、ピーク以外の相関値の絶対値の変動が小さくなっており、最終的にピークｐ３の検出が容易になっていることが分かる。よって、移動局と基地局との伝播路の影響により、移動局における受信信号レベルが小さい場合でも、その基地局のセルＩＤを検出できる可能性が高くなる。
【００６２】
（５）第２相関値算出の変形例１
以下、第２相関値を算出する場合の処理負荷を軽減するための、第２相関値算出の一変形例について説明する。
例えばＥ−ＵＴＲＡでは、同期信号（ＰＳＣ信号、ＳＳＣ信号）が割り当てられるサブキャリア群の帯域が狭いため（６２サブキャリア）、周波数選択性フェージングによる影響が少ない。すなわち、サブチャネルごとのチャネル推定値の変動が少ない。したがって、Ｅ−ＵＴＲＡ等の、同期信号が割り当てられるサブキャリア群の帯域が狭いシステムでは、上記数式９のＩ（ｍ）は、以下の数式１０のとおり近似してもよい。
【数１０】
2010200232.tif 000012
【００６３】
この場合、相関演算部５９では、複数のサブキャリアの各々について、サブキャリアのチャネル推定値の二乗値を算出し、この二乗値を複数のサブキャリアのすべてについて積算して第１積算値（Σ｜G(k)｜２）を得る。さらに相関演算部５９は、ピーク検索部５７で検出されたセルＩＤに対応する符号と、複数のセルＩＤの各々に対応する符号との間の符号間相関値（ΣP(m1,k)P(m,k)）を算出する。そして、相関演算部５９は、第１積算値と符号間相関値を乗算することで、第２相関値を算出する。上述したセルサーチ方法の第２ステップでも同様にして、第２相関値を算出することができる。
なお、この場合、ＳＳＣレプリカは、理想的なP(m1,k)であると考えることができる。
【００６４】
この第２相関値算出の変形例によれば、上記数式１０に示すように、符号間相関値の演算（ΣP(m1,k)P(m,k)）が２値演算となるため、演算量を削減することができる。
なお、複数のセルＩＤの各々に対応する符号同士の符号間相関値をＬＵＴ(Look Up Table)に予め記憶させておき、符号間相関値の演算では、このＬＵＴを参照することが好ましい。これにより、さらに演算量を削減することができる。
【００６５】
（６）第２相関値算出の変形例２
以下、第２相関値を算出する場合の処理負荷を軽減するための、第２相関値算出の他の変形例について説明する。
先ず、上記数式５に基づき、セルＩＤ＝ｍ１に対する相関値Ｃ（ｍ１）（第１相関値）は、数式１１のとおりである。ここで、セルＩＤ＝ｍ１に対応する基地局２０−１からの受信信号レベルが、基地局２０−１以外の基地局からのそれよりも大きいという前提の下では、数式１１において第１項が支配的となり、第２項以下を無視してよい。その場合、数式１１は、数式１２のとおり近似できる。なお、P(m,k)={1,-1}であるので、数式１２においては、P(m1,k)P(m1,k)=1である。
【００６６】
【数１１】
2010200232.tif 000013
【数１２】
2010200232.tif 000014
【００６７】
上記数式１０と数式１２により、第２相関値Ｉ（ｍ）（ｍ：セルＩＤ）は、下記の数式１３のとおり近似できる。
【数１３】
2010200232.tif 000015
【００６８】
ここで、セルＩＤ＝ｍ１に対する相関値Ｃ（ｍ１）（第１相関値）は、第２相関値を算出する以前に既に算出済みである。よって、第２相関値Ｉ（ｍ）は、既知の値であるＣ（ｍ１）と、符号間相関値（ΣP(m1,k)P(m,k)）とを乗算すれば得られる。よって、上述した第２相関値算出の変形例１と比較すると、Σ｜G(k)｜２の演算をしなくて済む分、さらに演算量を削減することができる。
【００６９】
この変形例では、ピーク検索部５７で検出されたセルＩＤに対応する、相関演算部５５の演算結果が保持される。相関演算部５９は、ピーク検索部５７で検出されたセルＩＤに対応するＳＳＣ符号（ＳＳＣレプリカ）と、複数のセルＩＤの各々に対応するＳＳＣ符号との間の符号間相関値（ΣP(m1,k)P(m,k)）を算出する。そして、相関演算部５９は、保持された相関演算部５５の演算結果と、符号間相関値とを乗算することで、第２相関値を算出する。上述したセルサーチ方法の第２ステップでも同様にして、第２相関値を算出することができる。
なお、この場合も、ＳＳＣレプリカは、理想的なP(m1,k)であると考えることができる。また、符号間相関値の演算においてＬＵＴを参照して行うことが好ましい点は、第２相関値算出の変形例１と同様である。
【００７０】
以上の実施形態に関し、さらに以下の付記を開示する。
【００７１】
（付記１）
基地局のアンテナごとに予め対応付けられている複数のセル固有情報のいずれかを含む参照信号を周辺の基地局から受信し、当該参照信号から少なくとも２以上のセル固有情報を検出する移動局であって、
受信した第１参照信号と、前記複数のセル固有情報の各々との間で相関をとり、前記参照信号と各セル固有情報との間の第１相関値を算出する第１相関演算部と、
セル固有情報ごとの前記第１相関値の内、最も相関の高い値を示す第１セル固有情報を決定する第１決定部と、
前記第１参照信号のうち前記第１セル固有情報に対応する成分のレプリカと、前記複数のセル固有情報の各々との間で相関をとり、前記レプリカと各セル固有情報との間の第２相関値を算出する第２相関演算部と、
前記第１相関値から前記第２相関値を減算し、各セル固有情報に対する第３相関値を生成する減算部と、
セル固有情報ごとの前記第３相関値の内、最も相関の高い値を示す第２セル固有情報を決定する第２決定部と、
を備えた、移動局。（１）
【００７２】
（付記２）
前記参照信号は、複数のサブキャリアによって基地局から送信され、
前記セル固有情報は、所定の系列を巡回シフトした符号であって、符号の各ビット値が前記複数のサブキャリアの各々に割り当てられている、
付記１に記載された移動局。（２）
【００７３】
（付記３）
前記複数のサブキャリアの各々について、サブキャリアのチャネル推定値の二乗値と、前記第１セル固有情報に対応する符号のうちサブキャリアに割り当てられているビット値、を乗算することにより、各サブキャリアについての乗算値を算出し、この乗算値を複数のサブキャリアのすべてについて積算することで、前記レプリカを生成する、
付記２に記載された移動局。（３）
【００７４】
（付記４）
前記複数のサブキャリアの各々について、サブキャリアのチャネル推定値の二乗値を算出し、この二乗値を複数のサブキャリアのすべてについて積算することで得られる第１積算値と、前記第１セル固有情報に対応する符号と前記複数のセル固有情報の各々に対応する符号との間の符号間相関値、を乗算することで、前記第２相関値を算出する、
付記２に記載された移動局。（４）
【００７５】
（付記５）
前記第１セル固有情報に対する前記第１相関値と、前記第１セル固有情報に対応する符号と前記複数のセル固有情報の各々に対応する符号との間の符号間相関値、を乗算することで、前記第２相関値を算出する、
付記２に記載された移動局。（５）
【００７６】
（付記６）
前記複数のセル固有情報の相互の符号間相関値を記憶するルックアップテーブルを備え、前記符号間相関値は、当該ルックアップテーブルを参照して算出される、
付記４又は５に記載された移動局。
【００７７】
（付記７）
基地局のアンテナごとに予め対応付けられている複数のセル固有情報のいずれかを含む参照信号を周辺の基地局から受信し、当該参照信号から少なくとも２以上のセル固有情報を検出するセルサーチ方法であって、
第１参照信号を受信するステップと、
前記第１参照信号と、前記複数のセル固有情報の各々との間で相関をとり、前記参照信号と各セル固有情報との間の第１相関値を算出するステップと、
セル固有情報ごとの前記第１相関値の内、最も相関の高い値を示す第１セル固有情報を決定するステップと、
前記第１参照信号のうち前記第１セル固有情報に対応する成分のレプリカと、前記複数のセル固有情報の各々との間で相関をとり、前記レプリカと各セル固有情報との間の第２相関値を算出するステップと、
前記第１相関値から前記第２相関値を減算し、各セル固有情報に対する第３相関値を生成するステップと、
セル固有情報ごとの前記第３相関値の内、最も相関の高い値を示す第２セル固有情報を決定するステップと、
を備えた、セルサーチ方法。（６）
【００７８】
（付記８）
前記参照信号は、複数のサブキャリアによって基地局から送信され、
前記セル固有情報は、所定の系列を巡回シフトした符号であって、符号の各ビット値が前記複数のサブキャリアの各々に割り当てられている、
付記７に記載されたセルサーチ方法。（７）
【００７９】
（付記９）
前記第２相関値を算出するステップは、
前記複数のサブキャリアの各々について、サブキャリアのチャネル推定値の二乗値と、前記第１セル固有情報に対応する符号のうちサブキャリアに割り当てられているビット値、を乗算することにより、各サブキャリアについての乗算値を算出し、この乗算値を複数のサブキャリアのすべてについて積算することで、前記レプリカを生成する、
付記８に記載されたセルサーチ方法。（８）
【００８０】
（付記１０）
前記第２相関値を算出するステップは、
前記複数のサブキャリアの各々について、サブキャリアのチャネル推定値の二乗値を算出し、この二乗値を複数のサブキャリアのすべてについて積算することで得られる第１積算値と、前記第１セル固有情報に対応する符号と前記複数のセル固有情報の各々に対応する符号との間の符号間相関値、を乗算することで、前記第２相関値を算出する、
付記８に記載されたセルサーチ方法。（９）
【００８１】
（付記１１）
前記第２相関値を算出するステップは、
前記第１セル固有情報に対する前記第１相関値と、前記第１セル固有情報に対応する符号と前記複数のセル固有情報の各々に対応する符号との間の符号間相関値、を乗算することで、前記第２相関値を算出する、
付記１０に記載されたセルサーチ方法。（１０）
【００８２】
（付記１２）
前記複数のセル固有情報の相互の符号間相関値を記憶するルックアップテーブルを備え、前記符号間相関値は、当該ルックアップテーブルを参照して算出される、
付記１０又は１１に記載されたセルサーチ方法。
【符号の説明】
【００８３】
１０…携帯端末（ＵＥ）、５０…フィルタ、５１…タイミング検出部、５２…ＦＦＴ部、５３…チャネル推定部、５４…復調部、５５…相関演算部（第１相関演算部）、５６…減算部、５７…ピーク検索部（第１決定部、第２決定部）、５８…レプリカ生成部、５９…相関演算部（第２相関演算部）
【図１】
2010200232.tif 000016
【図２】
2010200232.tif 000017
【図３】
2010200232.tif 000018
【図４】
2010200232.tif 000019
【図５】
2010200232.tif 000020
【図６】
2010200232.tif 000021
【図７】
2010200232.tif 000022
【図８】
2010200232.tif 000023